【手続補正書】
【提出日】平成28年2月9日(2016.2.9)
【手続補正１】
【補正対象書類名】明細書
【補正対象項目名】０２５８
【補正方法】変更
【補正の内容】
【０２５８】
上記明細書は、開示された組成物及び方法の製造及び使用の説明を提供する。本発明がこのように記載されていることから、本発明が多くの方法で変更され得ることは明らかであろう。このような変更は、本発明の精神及び範囲からの逸脱とみなされるべきではなく、全てのこのような修飾は、以下の特許請求の範囲内に含まれることが意図される。
本発明の実施態様の一部を以下の項目１−２１に列記する。
[１]
以下の式の化合物を含むソルファクタント組成物：
【化３３】
2015526548.tif 000001
[２]
Ｒzが、１〜２５個の炭素原子を有する分岐鎖又は直鎖アルキル基である、項目１に記載の組成物。
[３]
Ｒzが、１〜２５個の炭素原子を有する分岐鎖又は直鎖アルキル基であり、いかなる濃度の水と一緒にしてもゲルを形成しない、項目１に記載の組成物。
[４]
ｎ1及び／又はｎ2が１〜２５であり、かつ該界面活性剤組成物の２つのエトキシル化尾部間でエトキシル化度が変動し得る、項目１に記載の組成物。
[５]
ｎ1及び／又はｎ2が１〜１０であり、かつ該ソルファクタントが、約２００〜約１０，０００の分子量を有し、アルコールエトキシレートの置換物である、項目４に記載の組成物。
[６]
該化合物が以下の式のうち１つを有する、項目１に記載の組成物：
【化３４】
2015526548.tif 000002
（式中、Ｒzは１〜２０個の炭素原子を有する直鎖または分枝鎖アルキル基であり、ｍ1及び／又はｍ2は１〜２５である）、又は
【化３５】
2015526548.tif 000003
（式中、Ｒzは１〜２０個の炭素原子を有する直鎖または分枝鎖アルキル基であり、ｎ1及び／又はｎ2は１〜２５であり、ｍ1及び／又はｍ2は１〜２５である）、又は
【化３６】
2015526548.tif 000004
（式中、Ｒzは１〜２０個の炭素原子を有する直鎖または分枝鎖アルキル基であり、ｎ1及び／又はｎ2は１〜２５であり、ｍ1及び／又はｍ2は１〜２５である）。
[７]
以下の式の化合物を含むソルファクタント組成物：
【化３７】
2015526548.tif 000005
（式中、Ｒzは１〜２５個の炭素原子を有する分岐鎖又は直鎖アルキル基であり、
ｎ1及び／又はｎ2は１〜２０であり、
該界面活性剤の分子量は約２００〜約１０，０００であり、
該化合物は、少なくとも部分的に水溶性である）。
[８]
Ｒzが、１〜２０個の炭素原子を有する分岐鎖又は直鎖アルキル基である、項目７に記載の組成物。
[９]
該界面活性剤組成物の２つのエトキシル化尾部間でエトキシル化度が変動する、項目７に記載の組成物。
[１０]
ｎ1及び／又はｎ2が１〜２５である、項目７に記載の組成物。
[１１]
該化合物が以下の式のうち１つを有する、項目７に記載の組成物：
【化３８】
2015526548.tif 000006
（式中、Ｒzは１〜２０個の炭素原子を有する直鎖または分枝鎖アルキル基であり、ｍ1及び／又はｍ2は１〜２５である）、又は
【化３９】
2015526548.tif 000007
（式中、Ｒzは１〜２０個の炭素原子を有する直鎖または分枝鎖アルキル基であり、ｎ1及び／又はｎ2は１〜２５であり、ｍ1及び／又はｍ2は１〜２５である）、又は
【化４０】
2015526548.tif 000008
（式中、Ｒzは１〜２０個の炭素原子を有する直鎖または分枝鎖アルキル基であり、ｎ1及び／又はｎ2は１〜２５であり、ｍ1及び／又はｍ2は１〜２５である）。
[１２]
表面、物品、及び／又は基質に、項目７のソルファクタント又は項目７のソルファクタントを含有する組成物を接触させることを含む、ソルファクタントを使用する方法。
[１３]
該ソルファクタントが、界面活性剤、酸化剤、４級アンモニウム化合物、安定剤、キレート剤、ヒドロトロープ、溶媒、希釈剤、酸性化剤、皮膚軟化剤、染料、顔料、及びこれらの組合せからなる群から選択される１種以上の物質と一緒にされる、項目１２に記載の方法。
[１４]
該表面に、０．１ｇ／Ｌ〜１００ｇ／Ｌに希釈された濃縮物を有する該ソルファクタントを含有する組成物の使用溶液が接触させられる、項目１２に記載の方法。
[１５]
該ソルファクタントが使用組成物中に提供される、項目１２に記載の方法であって、前記組成物が、硬質表面クリーニング組成物、洗濯洗剤クリーニング組成物、用品洗浄洗浄剤組成物、すすぎ添加剤組成物、ハンドケア洗浄剤組成物、空気清浄組成物、殺菌組成物、車両クリーニング組成物、脱脂組成物、床クリーニング組成物、及びＣＩＰ洗浄剤組成物からなる群から選択される、方法。
[１６]
使用組成物が、約４℃〜約６０℃の温度で適用される、項目１２に記載の方法。
[１７]
該表面が、床、カウンタートップ、シンク、又は他の建築物の硬質表面である、項目１２に記載の方法。
[１８]
該物品又は表面が、セラミック、ガラス、金属、木材、又は硬質プラスチックである、項目１２に記載の方法。
[１９]
該基質が布帛又は布地である、項目１２に記載の方法。
[２０]
該ソルファクタントを含有する該組成物が、ゲル、液体、泡、エアロゾル、ガス、ワックス、固体、及び粉末を含む群から選択される形態である、項目１２に記載の方法。
[２１]
該ソルファクタントを含有する該組成物が、抗微生物剤、滅菌剤、消毒剤、殺菌剤、保存剤、脱臭剤、防腐剤、殺真菌剤、殺病原体剤、殺胞子剤、殺ウイルス剤、洗浄剤、漂白剤、硬質表面クリーナー、ハンドソープ、水なし手消毒剤、術前又は術後スクラブ、獣医学的製品、食品及び／又は加工処理製品、植物及び／又は加工処理製品、水処理剤、工業的プロセス処理剤、布地洗浄剤、塗料、接着剤、潤滑剤、冷却剤、ガラス繊維サイジング組成物、掘削流体、ガスハイドレート阻害剤、腐食抑制剤、パーソナルケア組成物などである、項目１２に記載の方法。
【手続補正２】
【補正対象書類名】特許請求の範囲
【補正対象項目名】全文
【補正方法】変更
【補正の内容】
【特許請求の範囲】
【請求項１】
以下の式のうち１つに係る化合物を含むソルファクタント組成物：
【化１】
2015526548.tif 000009
（式中、Ｒzは１〜２５個の炭素原子を有する直鎖または分枝鎖アルキル基であり、ｍ1及び／又はｍ2は１〜２５である）、又は
【化２】
2015526548.tif 000010
（式中、Ｒzは１〜２５個の炭素原子を有する直鎖または分枝鎖アルキル基であり、ｎ1及び／又はｎ2は１〜２５であり、ｍ1及び／又はｍ2は１〜２５である）、又は
【化３】
2015526548.tif 000011
（式中、Ｒzは１〜２５個の炭素原子を有する直鎖または分枝鎖アルキル基であり、ｎ1及び／又はｎ2は１〜２５であり、ｍ1及び／又はｍ2は１〜２５である）。
【請求項２】
Ｒzが、１〜２０個の炭素原子を有する分岐鎖アルキル基である、請求項１に記載の組成物。
【請求項３】
Ｒzが、１〜２０個の炭素原子を有する直鎖アルキル基である、請求項１に記載の組成物。
【請求項４】
該化合物の２つのエトキシル化尾部間でエトキシル化度が変動し得る、請求項１に記載の組成物。
【請求項５】
ｎ1及び／又はｎ2が１〜１０であり、かつ該ソルファクタントが、約２００〜約１０，０００の分子量を有し、アルコールエトキシレートの置換物である、請求項４に記載の組成物。
【請求項６】
以下の式のうち１つに係る化合物を含むソルファクタント組成物：
【化４】
2015526548.tif 000012
（式中、Ｒzは１〜２０個の炭素原子を有する直鎖または分枝鎖アルキル基であり、ｍ1及び／又はｍ2は１〜２０である）、又は
【化５】
2015526548.tif 000013
（式中、Ｒzは１〜２０個の炭素原子を有する直鎖または分枝鎖アルキル基であり、ｎ1及び／又はｎ2は１〜２０であり、ｍ1及び／又はｍ2は１〜２０である）、又は
【化６】
2015526548.tif 000014
（式中、Ｒzは１〜２０個の炭素原子を有する直鎖または分枝鎖アルキル基であり、ｎ1及び／又はｎ2は１〜２０であり、ｍ1及び／又はｍ2は１〜２０である）であって、
該化合物の分子量は約２００〜約１０，０００であり、
該化合物は、少なくとも部分的に水溶性である、組成物。
【請求項７】
Ｒzが、分岐鎖アルキル基である、請求項６に記載の組成物。
【請求項８】
Ｒzが、直鎖アルキル基である、請求項６に記載の組成物。
【請求項９】
該化合物の２つのエトキシル化尾部間でエトキシル化度が変動する、請求項６に記載の組成物。
【請求項１０】
表面、物品、及び／又は基質に、請求項１のソルファクタント又は請求項１のソルファクタントを含有する組成物を接触させることを含む、ソルファクタントを使用する方法。
【請求項１１】
該ソルファクタントが、界面活性剤、酸化剤、４級アンモニウム化合物、安定剤、キレート剤、ヒドロトロープ、溶媒、希釈剤、酸性化剤、皮膚軟化剤、染料、顔料、及びこれらの組合せからなる群から選択される１種以上の物質と一緒にされる、請求項１０に記載の方法。
【請求項１２】
該表面に、０．１ｇ／Ｌ〜１００ｇ／Ｌに希釈された濃縮物を有する該ソルファクタントを含有する組成物の使用溶液が接触させられる、請求項１０に記載の方法。
【請求項１３】
該ソルファクタントが使用組成物中に提供される、請求項１０に記載の方法であって、前記組成物が、硬質表面クリーニング組成物、洗濯洗剤クリーニング組成物、用品洗浄洗浄剤組成物、すすぎ添加剤組成物、ハンドケア洗浄剤組成物、空気清浄組成物、殺菌組成物、車両クリーニング組成物、脱脂組成物、床クリーニング組成物、及びＣＩＰ洗浄剤組成物からなる群から選択される、方法。
【請求項１４】
使用組成物が、約４℃〜約６０℃の温度で適用される、請求項１０に記載の方法。
【請求項１５】
該表面が、床、カウンタートップ、シンク、又は他の建築物の硬質表面である、請求項１０に記載の方法。
【請求項１６】
該物品又は表面が、セラミック、ガラス、金属、木材、又は硬質プラスチックである、請求項１０に記載の方法。
【請求項１７】
該基質が布帛又は布地である、請求項１０に記載の方法。
【請求項１８】
該ソルファクタントを含有する該組成物が、ゲル、液体、泡、エアロゾル、ガス、ワックス、固体、及び粉末を含む群から選択される形態である、請求項１０に記載の方法。
【請求項１９】
該ソルファクタントを含有する該組成物が、抗微生物剤、滅菌剤、消毒剤、殺菌剤、保存剤、脱臭剤、防腐剤、殺真菌剤、殺病原体剤、殺胞子剤、殺ウイルス剤、洗浄剤、漂白剤、硬質表面クリーナー、ハンドソープ、水なし手消毒剤、術前又は術後スクラブ、獣医学的製品、食品及び／又は加工処理製品、植物及び／又は加工処理製品、水処理剤、工業的プロセス処理剤、布地洗浄剤、塗料、接着剤、潤滑剤、冷却剤、ガラス繊維サイジング組成物、掘削流体、ガスハイドレート阻害剤、腐食抑制剤、パーソナルケア組成物などである、請求項１０に記載の方法。